(57)【要約】【課題】  Ｔ字型ハンドルを安定して回転させることができるＴ字型ハンドル用回転工具を提供する。【解決手段】  棒状の操作杆２の一端部に、操作杆２に対してほぼ垂直に延びる４つの挟持脚３ｂを設け、Ｔ字型ハンドル１０１の回転軸部１０１ｂの上方に位置する把持部１０１ａの中心部１０１ｃの四方を囲えるように４つの挟持脚３ｂを配設する。このようなＴ字型ハンドル用回転工具１を用いてＴ字型ハンドル１０１を回転させるには、Ｔ字型ハンドル１０１の把持部１０１ａの中心部１０１ｃの四方を囲うように４つの挟持脚３ｂを位置させ、この状態で操作杆２を回転させる。すると、４つの挟持脚３ｂによって把持部１０１ａの中心部１０１ｃが挟持され、操作杆２の回転に伴って把持部１０１ａつまりＴ字型ハンドル１０１が回転する。【選択図】  図３
2008093737.tif 000002
【特許請求の範囲】
【請求項１】
Ｔ字型で水平に延びる把持部と垂直に延びる回転軸部とを有するＴ字型ハンドルを回転させるためのＴ字型ハンドル用回転工具であって、
棒状の操作杆の一端部に、前記操作杆に対してほぼ垂直に延びる４つの挟持脚を設け、対向する２対の前記挟持脚によって前記Ｔ字型ハンドルの把持部を挟めるように前記４つの挟持脚を配設したことを特徴とするＴ字型ハンドル用回転工具。
【請求項２】
前記Ｔ字型ハンドルの回転軸部の上方に位置する前記把持部の中心部の四方を囲えるように前記４つの挟持脚を配設したことを特徴とする請求項１に記載のＴ字型ハンドル用回転工具。
【請求項３】
前記操作杆に対して前記４つの挟持脚が着脱自在であることを特徴とする請求項１または２のいずれか１項に記載のＴ字型ハンドル用回転工具。
【請求項４】
前記挟持脚を略正四角形の各頂角に位置させ、その略正四角形のほぼ中心線上に前記操作杆を配設したことを特徴とする請求項１から３のいずれか１項に記載のＴ字型ハンドル用回転工具。
【発明の詳細な説明】
【技術分野】
【０００１】
この発明は、ハンドルを回動させるための回転工具に関し、特にＴ字型ハンドル（Ｔ字型バルブ）を回転させるのに適したＴ字型ハンドル用回転工具に関する。
【背景技術】
【０００２】
マニホールド弁や計器元弁などのハンドルを回転させる（開閉する）際に、狭い場所でのハンドルの回転操作を容易にしたり、より大きな力をハンドルに与えたりするために、回転工具が使用される場合がある。このような回転工具には、円環状のハンドルに適し、複数の大きさのハンドルに適用できる回転工具（ハンドル用ウイルキー）が知られている（例えば、特許文献１参照。）。この回転工具は、棒状の操作杆に、この操作杆から延長された固定脚と、操作杆に沿ってスライド自在に装着され固定脚に対して前進、後退可能な可動脚とが設けられている。さらに、固定脚と可動脚とが、操作杆から外側に拡がる末広がり形状となっている。そして、ハンドルの大きさに合わせて可動脚をスライドさせ、固定脚と可動脚とによってハンドルを挟持した状態で操作杆を回すことで、ハンドルを回転させることができるものである。
【特許文献１】実開平０６−１７８７４号公報
【発明の開示】
【発明が解決しようとする課題】
【０００３】
ところで、蒸気タービン設備における油漉器のクノーフィルタなどのハンドルには、Ｔ字型をしているものがある。すなわち、Ｔ字型で水平に延びる把持部（Ｔ字の水平部）と垂直に延びる回転軸部（Ｔ字の垂直部）とを有し、把持部を把持して回すと、回転軸部が回転して、回転軸部に連結されたクノーフィルタなどが回転するものである。このようなＴ字型ハンドルを上記特許文献１に記載されたような回転工具によって回転させようとすると、Ｔ字型ハンドルに力が適切に伝わらず、回転工具がＴ字型ハンドルから外れてしまう場合がある。すなわち、Ｔ字型ハンドルの把持部が直線状であるため、回転工具の２つの挟持部材である固定脚と可動脚とによって把持部を適切に（確実に）挟持することができない。そして、このような不安定な挟持状態で操作杆を回しても、Ｔ字型ハンドルに力が適切に伝わらず、回転工具がＴ字型ハンドルから外れてしまうものである。
【０００４】
そこで本発明は、Ｔ字型ハンドルを安定して回転させることができるＴ字型ハンドル用回転工具を提供することを目的とする。
【課題を解決するための手段】
【０００５】
上記目的を達成するために請求項１に記載の発明は、Ｔ字型で水平に延びる把持部と垂直に延びる回転軸部とを有するＴ字型ハンドルを回転させるためのＴ字型ハンドル用回転工具であって、棒状の操作杆の一端部に、前記操作杆に対してほぼ垂直に延びる４つの挟持脚を設け、対向する２対の前記挟持脚によって前記Ｔ字型ハンドルの把持部を挟めるように前記４つの挟持脚を配設したことを特徴としている。
（作用）
このようなＴ字型ハンドル用回転工具を用いてＴ字型ハンドルを回転させるには、Ｔ字型ハンドルの把持部を２対の挟持脚で挟むように４つの挟持脚を位置させ、この状態で操作杆を回転させる。すると、２対の挟持脚によって把持部が挟持（把持）され、操作杆の回転に伴って把持部つまりＴ字型ハンドルが回転する。
【０００６】
請求項２に記載の発明は、請求項１に記載のＴ字型ハンドル用回転工具において、前記Ｔ字型ハンドルの回転軸部の上方に位置する前記把持部の中心部の四方を囲えるように前記４つの挟持脚を配設したことを特徴としている。
（作用）
このようなＴ字型ハンドル用回転工具を用いてＴ字型ハンドルを回転させるには、Ｔ字型ハンドルの把持部の中心部の四方を囲うように４つの挟持脚を位置させ、この状態で操作杆を回転させる。すると、４つの挟持脚によって把持部の中心部が挟持（把持）され、操作杆の回転に伴って把持部つまりＴ字型ハンドルが回転する。
【０００７】
請求項３に記載の発明は、請求項１または２のいずれか１項に記載のＴ字型ハンドル用回転工具において、前記操作杆に対して前記４つの挟持脚が着脱自在であることを特徴としている。
【０００８】
請求項４に記載の発明は、請求項１から３のいずれか１項に記載のＴ字型ハンドル用回転工具において、前記挟持脚を略正四角形の各頂角に位置させ、その略正四角形のほぼ中心線上に前記操作杆を配設したことを特徴としている。
【発明の効果】
【０００９】
請求項１に記載の発明によれば、対向する２対の挟持脚によってＴ字型ハンドルの把持部を挟持するため、把持部が挟持脚によって確実、強固に挟持（把持）され、操作杆からの力がＴ字型ハンドルに適切に伝わる。しかも、把持部が確実に挟持されるため、挟持脚が把持部から外れて回転工具がＴ字型ハンドルから外れることもなく、Ｔ字型ハンドルを安定して回転させることができる。この結果、操作杆によるてこの原理を利用して、Ｔ字型ハンドルを容易かつ確実に回転させることができるとともに、回転工具がＴ字型ハンドルから外れることがないため、作業の安全性が向上する。
【００１０】
請求項２に記載の発明によれば、４つの挟持脚がＴ字型ハンドルの把持部の中心部の四方を囲うため、把持部が挟持脚によってより確実、強固に挟持され、操作杆からの力がより適切にＴ字型ハンドルに伝わる。しかも、把持部の中心部が確実に挟持されるため、挟持脚が把持部から外れることがより防止される。
【００１１】
請求項３に記載の発明によれば、４つの挟持脚が着脱自在であるため、例えば、Ｔ字型ハンドルの大きさに合わせて複数種の挟持脚を用意し、Ｔ字型ハンドルの大きさに合った挟持脚を操作杆に装着することで、大きさが異なる複数種のＴ字型ハンドルに対応することが可能となる。
【００１２】
請求項４に記載の発明によれば、４つの挟持脚が略正四角形の各頂角に位置されているため、つまり４つの挟持脚の間隔がほぼ均等であるため、Ｔ字型ハンドルの把持部が４つの挟持脚によってほぼ均等に挟持され、操作杆からの力がより適切にＴ字型ハンドルに伝わる。また、４つの挟持脚によって形成された略正四角形のほぼ中心線上に操作杆が配設されているため、Ｔ字型ハンドルの把持部が位置される挟持脚間の空間である挟持スペースが、操作杆の延直線上および操作杆と直交する方向に位置する。このため、挟持脚間の挟持スペースをＴ字型ハンドルの把持部に位置させて、２対の挟持脚で把持部を挟持することが容易となり、作業性が向上する。
【発明を実施するための最良の形態】
【００１３】
以下、本発明を図示の実施の形態に基づいて説明する。
【００１４】
（実施の形態１）
図１は、この実施の形態に係るＴ字型ハンドル用回転工具１の正面図（ａ）と側面図（ｂ）である。このＴ字型ハンドル用回転工具１は、後述するように、Ｔ字型で水平に延びる棒状の把持部１０１ａ（Ｔ字の水平部）と垂直に延びる棒状の回転軸部１０１ｂ（Ｔ字の垂直部）とを有するＴ字型ハンドル１０１（Ｔ字型バルブ）を回転させるための回転工具であって、主として、操作杆２と、４つの挟持脚３ｂとを備えている。
【００１５】
操作杆２は棒状の鋼材製で、その一端部に挟持具３が取り付けられている。この挟持具３は、棒状の鋼材製で構成され、縦横の長さがほぼ同じである十字（Ｘ字）型の十字部３ａと、この十字部３ａの４つの端部から十字部３ａに対してほぼ垂直に延びる挟持脚３ｂとから構成されている。このような挟持具３の各挟持脚３ｂが略正四角形（やや長方形）の各頂角に位置し、その略正四角形の中心線の延直線上に操作杆２が位置するように、操作杆２の一端部に挟持具３が取り付けられている。すなわち、十字部３ａがＸ字状に配置されることによって各挟持脚３ｂが略正四角形の各頂角に位置され、この十字部３ａ（Ｘ字）の垂直中心線の延直線上に操作杆２が配置され、操作杆２の一端部と十字部３ａの中央部（クロス部）とが溶接されている。これにより、４つの挟持脚３ｂが操作杆２に対してほぼ垂直に延び、かつ、Ｔ字型ハンドル１０１の把持部１０１ａが位置される挟持脚３ｂ間の挟持スペースが、操作杆２の延直線上（同軸上）および操作杆２と直交する方向に位置する。すなわち、操作杆２の同軸方向と直交方向とにおいて把持部１０１ａを挟めるように、対向する２対の挟持脚３ｂが配設された状態となっている。
【００１６】
さらに、４つの挟持脚３ｂは、後述するように、Ｔ字型ハンドル１０１の回転軸部１０１ｂの上方に位置する把持部１０１ａの中心部１０１ｃ（回転中心部）の四方を囲えるように、配設されている。すなわち、Ｔ字型ハンドル１０１の大きさに応じて、挟持脚３ｂ間の空間である挟持スペースにＴ字型ハンドル１０１の中心部１０１ｃが入り、かつ挟持脚３ｂと中心部１０１ｃとの隙間が大きくならないように（中心部１０１ｃの四方を囲うように）、挟持脚３ｂ間の距離（間隔）Ｄ１、Ｄ２が設定されている。また、４つの挟持脚３ｂが中心部１０１ｃの四方を囲った状態で、挟持脚３ｂが回転軸部１０１ｂの中央部ほどまで達するように、挟持脚３ｂの長さＨが設定されている。これにより、挟持脚３ｂが把持部１０１ａから容易に外れないようになっている。
【００１７】
一方、操作杆２の他端部には、楕円リング状の吊り輪２ａが形成され、工具置場のフックなどに掛けられるようになっている。また、Ｔ字型ハンドル用回転工具１の全長Ｌは、操作杆２によるてこの原理を利用して、Ｔ字型ハンドル１０１を回転させるのに要する力（トルク）を十分出せるように、Ｔ字型ハンドル１０１に応じて設定されている。同様に、操作杆２の直径Φ１および挟持具３の直径Φ２は、Ｔ字型ハンドル１０１を回転させるのに要する力に十分耐え得る強度（曲げ剛性など）が得られるように設定されている。
【００１８】
次に、このような構成のＴ字型ハンドル用回転工具１の作用などについて説明する。ここで、この実施の形態では、蒸気タービン設備などに設置されている図２に示すような油漉器１００のクノーフィルタ１０２に連結されているＴ字型ハンドル１０１を、Ｔ字型ハンドル用回転工具１を用いて回転させる場合について説明する。
【００１９】
まず、図３に示すように、Ｔ字型ハンドル１０１の把持部１０１ａの中心部１０１ｃの四方を囲うように、回転工具１の４つの挟持脚３ｂを位置させる。このとき、上記のように、挟持脚３ｂ間の挟持スペースが、操作杆２の延直線上および操作杆２と直交する方向に位置しているため、操作杆２を把持している手の方向が、把持部１０１ａ（挟持スペース）の軸線方向とほぼ同方向またはほぼ直交する方向となる。このため、挟持脚３ｂ間の挟持スペースを把持部１０１ａに位置させて、把持部１０１ａの中心部１０１ｃの四方を囲うように２対の挟持脚３ｂで把持部１０１ａを挟持することを容易に行える。
【００２０】
これにより、４つの挟持脚３ｂによってＴ字型ハンドル１０１の中心部１０１ｃが挟持（把持）され、この状態で操作杆２を回転させると、操作杆２の回転に伴って把持部１０１ａつまりＴ字型ハンドル１０１が回転する。そして、この回転に伴って、回転軸部１０１ｂに連結されたクノーフィルタ１０２が回転するものである。
【００２１】
以上のように、本Ｔ字型ハンドル用回転工具１によれば、対向する２対の挟持脚３ｂによってＴ字型ハンドル１０１の把持部１０１ａを挟持し、しかも、４つの挟持脚３ｂが把持部１０１ａの中心部１０１ｃの四方を囲うため、把持部１０１ａが挟持脚３ｂによって確実、強固に挟持（把持）され、操作杆２からの力がＴ字型ハンドル１０１に適切に伝わる。また、把持部１０１ａの中心部１０１ｃが確実、強固に挟持されるため、挟持脚３ｂが把持部１０１ａから外れて回転工具１がＴ字型ハンドル１０１から外れることもなく、Ｔ字型ハンドル１０１を安定して回転させることができる。この結果、操作杆２によるてこの原理を利用して、Ｔ字型ハンドル１０１を容易かつ確実に回転させることができるとともに、回転工具１がＴ字型ハンドル１０１から外れることがないため、作業の安全性が向上する。
【００２２】
また、４つの挟持脚３ｂが略正四角形の各頂角に位置するように配設されているため、つまり挟持脚３ｂ間の距離Ｄ１、Ｄ２がほぼ等しいため、Ｔ字型ハンドル１０１の把持部１０１ａが４つの挟持脚３ｂによってほぼ均等に挟持され、操作杆２からの力がより適切にＴ字型ハンドル１０１に伝わる。
【００２３】
（実施の形態２）
図４は、この実施の形態に係るＴ字型ハンドル用回転工具１１の側面図であり、このＴ字型ハンドル用回転工具１１は、挟持具１３つまり４つの挟持脚１３ｂが操作杆１２に対して着脱自在となっている点で、実施の形態１の場合と構成が異なる。
【００２４】
操作杆１２は、その一端部に雄ネジ１２ａが形成されている点で、実施の形態１における操作杆２と構成が異なる。また、挟持具１３は、Ｘ字状に配置された十字部１３ａの垂直中心線上に管状の被着脱部１３ｃが取り付けられ、この被着脱部１３ｃに操作杆１２の雄ネジ１２ａと螺合する雌ネジ１３ｄが形成されている点で、実施の形態１における挟持具３と構成が異なる。そして、雄ネジ１２ａを雌ネジ１３ｄにネジ込むことで、操作杆１２の一端部に挟持具１３が取り付けられ（装着され）、雄ネジ１２ａと雌ネジ１３ｄとの螺合を解除することで、操作杆１２から挟持具１３を取り外せるものである。
【００２５】
このようなＴ字型ハンドル用回転工具１１によれば、挟持具１３（４つの挟持脚１３ｂ）が着脱自在であるため、大きさが異なる複数種のＴ字型ハンドル１０１に対応することが可能となる。すなわち、各Ｔ字型ハンドル１０１の大きさに合わせて挟持脚１３ｂ間の距離や挟持脚１３ｂの長さなどが異なる複数種の挟持具１３を用意し、Ｔ字型ハンドル１０１の大きさに合った挟持具１３を操作杆１２に取り付けることで、大きさが異なる複数種のＴ字型ハンドル１０１に対応することが可能となる。さらに、作業場所の広さやＴ字型ハンドル１０１を回転させるのに要する力などの作業条件に応じて長さが異なる操作杆１２を用意し、作業条件に合った操作杆１２に挟持具１３を取り付けることで、複数の作業条件に対応することが可能となる。
【００２６】
以上、この発明の実施の形態１、２について詳述してきたが、具体的な構成はこれらの実施の形態に限られるものではなく、この発明の要旨を逸脱しない範囲の設計の変更等があっても、この発明に含まれる。例えば、実施の態様１、２では、挟持具３（１３）の十字部３ａ（１３ａ）の４つの端部から挟持脚３ｂ（１３ｂ）がほぼ垂直に延びているが、板状の基板の板面に４つの挟持脚を垂直に配設するようにしてもよい。また、実施の態様１、２では、挟持具３の各挟持脚３ｂを略正四角形の各頂角に位置させているが、各挟持脚３ｂを長方形の各頂角に位置させ、長手方向に延びる挟持スペース（２対の挟持脚３ｂによって形成された空間）にＴ字型ハンドル１０１の把持部１０１ａを位置させるようにしてもよい。
【図面の簡単な説明】
【００２７】
【図１】本発明の実施の形態１に係るＴ字型ハンドル用回転工具の正面図（ａ）と側面図（ｂ）である。
【図２】本発明の実施の形態１に係る油漉器の平面図（ａ）とそのＡ−Ａ断面図（ｂ）である。
【図３】本発明の実施の形態１に係るＴ字型ハンドル用回転工具を用いて油漉器のＴ字型ハンドルを回転させる状態を示す図である。
【図４】本発明の実施の形態２に係るＴ字型ハンドル用回転工具の側面図である。
【符号の説明】
【００２８】
１          Ｔ字型ハンドル用回転工具
２          操作杆
２ａ        吊り輪
３          挟持具
３ａ        十字部
３ｂ        挟持脚
１１        Ｔ字型ハンドル用回転工具
１２        操作杆
１２ａ      雄ネジ
１３        挟持具
１３ａ      十字部
１３ｂ      挟持脚
１３ｃ      被着脱部
１３ｄ      雌ネジ
１０１      Ｔ字型ハンドル
１０１ａ    把持部
１０１ｂ    回転軸部
１０１ｃ    中心部
【図１】
2008093737.tif 000003
【図２】
2008093737.tif 000004
【図３】
2008093737.tif 000005
【図４】
2008093737.tif 000006